(57)【特許請求の範囲】
【請求項１】
照明装置に接続され、照明用光源の発光状態を変更するスイッチ装置であって、
前記照明用光源がＬＥＤであり、
照明用光源の発光状態を変更する発光状態変更用操作部と、該発光状態変更用操作部によって変更された発光状態をデジタル表示する発光状態表示部とを備え、
前記発光状態変更用操作部には、照明用光源の発光色の色温度を変更する色温度変更用操作部、及び照明用光源の光量を変更する光量変更用操作部の両方が設けられ、
発光状態表示部が、前記色温度変更用操作部によって変更された色温度を表示する色温度表示部、及び前記光量変更用操作部によって変更された光量を表示する光量表示部の両方を備え、
前記色温度変更用操作部は、スイッチ装置本体前面に設けられ、色温度増加変更操作用ボタンと色温度減少変更操作用ボタンとを有し、
前記光量変更用操作部は、スイッチ装置本体前面に設けられ、光量増加変更操作用ボタンと光量減少変更操作用ボタンとを有し、
前記スイッチ装置本体前面を覆うパネルに、前記色温度変更用操作部、前記光量変更用操作部及び各ボタンを操作する単一の操作スイッチが設けられ、該操作スイッチの姿勢を異ならせることにより、前記各ボタンを選択的に操作しうるものとなされるとともに、
前記スイッチ装置本体に電源オンオフ操作用ボタンが設けられ、該電源オンオフ操作用ボタンが、前記単一の操作スイッチにより操作されるものとなされ、
前記操作スイッチは、押圧操作により姿勢を異にする操作スイッチ本体と、該操作スイッチ本体を前記パネルに保持する操作スイッチ保持部材とを備え、
前記パネルは、前記操作スイッチ本体によって覆われる窓孔を有し、操作スイッチの操作が前記窓孔を通して操作されるものとなされており、
前記発光状態表示部に表示された発光状態を確認しながら、発光状態の変更、調整を行うことで、操作時の感覚に左右されることなく同じ発光状態を再現し、塵埃や異物がスイッチ装置本体へ侵入するおそれがないことを特徴とするスイッチ装置。
【請求項２】
照明装置に接続され、照明用光源の発光状態を変更するスイッチ装置であって、
前記照明用光源がＬＥＤであり、
照明用光源の発光状態を変更する発光状態変更用操作部と、該発光状態変更用操作部によって変更された発光状態をデジタル表示する発光状態表示部とを備え、
前記発光状態変更用操作部には、照明用光源の光量を変更する光量変更用操作部、及び照明用光源の発光パターンを変更する発光パターン変更用操作部の両方が設けられ、
発光状態表示部が、前記光量変更用操作部によって変更された光量を表示する光量表示部、及び前記発光パターン変更用操作部によって変更された発光パターンを表示する発光パターン表示部の両方を備え、
前記光量変更用操作部は、スイッチ装置本体前面に設けられ、光量増加変更操作用ボタンと光量減少変更操作用ボタンとを有し、
前記発光パターン変更用操作部は、スイッチ装置本体前面に設けられ、発光パターン順番順送りボタンと順番逆送りボタンとを有し、
前記スイッチ装置本体前面を覆うパネルに、前記光量変更用操作部、発光パターン変更用操作部及び各ボタンを操作する単一の操作スイッチが設けられ、該操作スイッチの姿勢を異ならせることにより、前記各ボタンを選択的に操作しうるものとなされるとともに、
前記スイッチ装置本体に電源オンオフ操作用ボタンが設けられ、該電源オンオフ操作用ボタンが、前記単一の操作スイッチにより操作されるものとなされ、
前記操作スイッチは、押圧操作により姿勢を異にする操作スイッチ本体と、該操作スイッチ本体を前記パネルに保持する操作スイッチ保持部材とを備え、
前記パネルは、前記操作スイッチ本体によって覆われる窓孔を有し、操作スイッチの操作が前記窓孔を通して操作されるものとなされており、
前記発光状態表示部に表示された発光状態を確認しながら、発光状態の変更、調整を行うことで、操作時の感覚に左右されることなく同じ発光状態を再現し、塵埃や異物がスイッチ装置本体へ侵入するおそれがないことを特徴とするスイッチ装置。
【請求項３】
前記色温度表示部は、発光性を有している請求項１に記載のスイッチ装置。
【請求項４】
前記光量表示部は、発光性を有している請求項１または２に記載のスイッチ装置。
【請求項５】
前記発光パターン表示部は、発光性を有している請求項２に記載のスイッチ装置。
【請求項６】
前記発光状態変更用操作部は、スイッチ装置本体前面に設けられると共に、
該スイッチ装置本体前面は、全面的に光不透過性のパネルに覆われる一方、該パネルの発光状態表示部に対応する領域は、光透過性を有するものと構成されている請求項３〜５のいずれかに記載のスイッチ装置。
【請求項７】
前記操作スイッチ保持部材は、一体成形されたばね片を有し、該ばね片が押圧操作により姿勢変更された操作スイッチ本体の姿勢を非押圧状態姿勢に復帰させるものとなされている請求項１または２に記載のスイッチ装置。
【発明の詳細な説明】
【技術分野】
【０００１】
この発明は、照明装置に接続され照明用光源の発光状態の調節を行うスイッチ装置に関する。
【背景技術】
【０００２】
最近は、ＬＥＤを光源とする照明装置が多く用いられるようになってきており、例えば、赤、緑、青の三色の光源の発光強度バランスを変更することにより、様々な発光色を得ることのできる照明装置が種々提案されている（特許文献１、２）。
【０００３】
また、特許文献１には、発光強度バランスの変更に加えて光量を変更させることよりさらに異なる発光状態を得ることのできる照明装置が提案されている。
【特許文献１】特開平１１−１４４５１０号公報
【特許文献２】再公表特許ＷＯ２００３／０１９０７２号公報
【発明の開示】
【発明が解決しようとする課題】
【０００４】
しかしながら、このような照明装置において、各色光源の発光強度を任意に変更可能にすると、様々な発光色を得られる反面、色に対する操作時の感覚が異なることによって、同じ発光色を再現することが難しくなるという問題があった。
【０００５】
また、光量においても同様であり、明るさに対する操作時の感覚が異なることによって、同じ光量の発光状態を再現することが難しかった。
【０００６】
この発明は、かかる事情に鑑みてなされたもので、照明用光源を任意の発光状態に調整できると共に、操作時の感覚如何に拘わらず、同じ発光状態を容易に再現することができるスイッチ装置を提供することを目的とする。
【課題を解決するための手段】
【０００７】
而して、この発明のスイッチ装置は、下記［１］〜［１２］の構成を有する。
【０００８】
［１］  照明装置に接続され、照明用光源の発光状態を変更するスイッチ装置であって、照明用光源の発光状態を変更する発光状態変更用操作部と、該発光状態変更用操作部によって変更された発光状態を表示する発光状態表示部とを備えていることを特徴とするスイッチ装置。
【０００９】
［２］  前記発光状態変更用操作部は、照明用光源の発光色の色温度を変更する色温度変更用操作部であり、発光状態表示部が、前記色温度変更用操作部によって変更された色温度を表示する色温度表示部である請求項１に記載のスイッチ装置。
【００１０】
［３］  前記発光状態変更用操作部は、照明用光源の光量を変更する光量変更用操作部であり、発光状態表示部が、前記光量変更用操作部によって変更された光量を表示する光量表示部である前項１に記載のスイッチ装置。
【００１１】
［４］  前記発光状態変更用操作部は、色温度変更用操作部と光量変更用操作部の両方を備え、発光状態表示部が、前記色温度変更用操作部によって変更された色温度表示部と、前記光量変更用操作部によって変更された光量を表示する光量表示部の両方を備えている前項１に記載のスイッチ装置。
【００１２】
［５］ 前記発光状態変更用操作部は、光量変更用操作部と照明用光源の発光パターンを変更する発光パターン変更用操作部の両方を備え、発光状態表示部が、前記光量変更用操作部によって変更された光量を表示する光量表示部と、前記発光パターン変更用操作部によって変更された発光パターンを表示する発光パターン表示部の両方を備えている前項３に記載のスイッチ装置。
【００１３】
ここに言う発光パターンとは、複数の異なる発光色に変化するものとなされた発光状態のことである。特定の発光色から他の特定の発光色へ急激に変化するものと、特定の発光色から他の特定の発光色への変化が緩やかに行われるものとの両方を含む。
【００１４】
［６］  前記色温度表示部は、発光性を有している前項２又は前項４に記載のスイッチ装置。
【００１５】
［７］  前記光量表示部は、発光性を有している前項３ないし前項５のいずれかに記載のスイッチ装置。
【００１６】
［８］  前記発光パターン表示部は、発光性を有している前項５に記載のスイッチ装置。
【００１７】
［９］  前記発光状態変更用操作部は、スイッチ装置本体前面に設けられると共に、
該スイッチ装置本体前面は、全面的に光不透過性のパネルに覆われる一方、該パネルの発光状態表示部に対応する領域は、光透過性を有するものと構成されている前項６ないし前項８のいずれかに記載のスイッチ装置。
【００１８】
［１０］ 前記色温度変更用操作部は、スイッチ装置本体前面に設けられ、色温度増加変更操作用ボタンと色温度減少変更操作用ボタンとを有する一方、
前記光量変更用操作部は、スイッチ装置本体前面に設けられ、光量増加変更操作用ボタンと光量減少変更操作用ボタンとを有し、
前記発光パターン変更用操作部は、スイッチ装置本体前面に設けられ、発光パターン順序順送りボタンと順序逆送りボタンとを有し、
前記パネルに、前記色温度変更用操作部及び前記光量変更用操作部、又は発光パターン変更用操作部及び各ボタンを操作する単一の操作スイッチが設けられ、該操作スイッチの姿勢を異ならせることにより、前記各ボタンを選択的に操作しうるものとなされている前項９に記載のスイッチ装置。
【００１９】
［１１］  前記操作スイッチは、押圧操作により姿勢を異にする操作スイッチ本体と、該操作スイッチ本体を前記パネルに保持する操作スイッチ保持部材とを備え、
前記パネルは、前記操作スイッチ本体によって覆われる窓孔を有し、操作スイッチの操作が該窓孔を通して操作されるものとなされており、
前記操作スイッチ保持部材は、一体成形されたばね片を有し、該ばね片が押圧操作により姿勢変更された操作スイッチ本体の姿勢を非押圧状態姿勢に復帰させるものとなされている前項１０に記載のスイッチ装置。
【００２０】
［１２］  前記スイッチ装置本体に電源オンオフ操作用ボタンが設けられ、該電源オンオフ操作用ボタンが、前記単一の操作スイッチにより操作されるものとなされている前項１０又は前項１１に記載のスイッチ装置。
【発明の効果】
【００２１】
［１］の発明にかかるスイッチ装置では、発光状態変更操作部を操作することにより、所望の発光状態を得ることができる。
【００２２】
また、その発光状態が発光状態表示部に表示されるため、後に、発光状態表示部に表示された発光状態を確認しながら、発光状態の変更、調整を行うことで、操作時の感覚に左右されることなく同じ発光状態を容易に再現することができる。
【００２３】
［２］の発明にかかるスイッチ装置では、色温度変更用操作部を操作することにより、所望の色温度を得ることができる。
【００２４】
また、その色温度が色温度表示部に表示されるため、後に、色温度表示部に表示された色温度を確認しながら、色温度の変更、調整を行うことで、操作時の感覚に左右されることなく同じ発光色を容易に再現することができる。
【００２５】
［３］の発明にかかるスイッチ装置では、光量変更用操作部を操作することにより、所望の光量を得ることができる。
【００２６】
また、その光量が光量表示部に表示されるため、後に、光量表示部に表示された光量を確認しながら、光量の変更、調整を行うことで、操作時の感覚に左右されることなく同じ光量の発光状態を容易に再現することができる。
【００２７】
［４］の発明にかかるスイッチ装置では、前項［１］に記載の効果に加えて、照明用光源の発光色及び光量の変更を一つのスイッチ装置で行えるので便利である。
【００２８】
［５］  前記発光状態変更用操作部は、光量操作部と照明用光源の発光パターンを変更する発光パターン変更用操作部の両方を備え、発光状態表示部が、前記光量変更用操作部によって変更された光量を表示する光量表示部と、前記発光パターン変更用操作部によって変更された発光パターンを表示する発光パターン表示部の両方を備えている請求項１に記載のスイッチ装置。
【００２９】
［６］の発明にかかるスイッチ装置では、前項［２］に記載の効果に加えて、色温度表示部が発光性を有しているので、色温度を視認しやすいという効果を奏する。
【００３０】
［７］の発明にかかるスイッチ装置では、前項［３］に記載の効果に加えて、光量表示部が発光性を有しているので、光量を視認しやすいという効果を奏する。
【００３１】
［８］の発明にかかるスイッチ装置では、前項［５］に記載の効果に加えて、発光パターン表示部が、発光性を有しているので、発光パターン表示部を視認しやすいという効果を奏する。
【００３２】
［９］の発明にかかるスイッチ装置では、前項［６］ないし前項［８］に記載の効果に加えて、不透過性パネルの色温度表示部及び光量表示部に対応する領域が光透過性を有するものと構成されているので、色温度表示及び光量表示がより一層明確に視認される。
【００３３】
［１０］の発明にかかるスイッチ装置では、前項［９］に記載の効果に加えて、単一の操作スイッチの姿勢を変更させることにより、色温度、光量又は発光パターンの変更が行えるので、操作性に優れている。
【００３４】
［１１］の発明にかかるスイッチ装置では、前項［１０］の記載の効果に加えて、操作スイッチが、パネルの窓孔を覆うものとなされており、塵埃や異物がスイッチ装置本体へ侵入するおそれがないので、故障が生じ難く、耐用性にも優れている。
【００３５】
また、押圧操作により姿勢変更された操作スイッチ本体が、操作スイッチ本体のばね片の付勢力によって非押圧状態姿勢にスムーズに復帰されるので、例えば色温度表示変更操作に引き続いて光量変更操作を行う場合にも何ら支障なく行え、便利である。
【００３６】
また、ばね片が操作スイッチ保持部材に一体成形されているので、部材点数が徒に増加することなく、パネルへの取り付け操作も行いやすい。
【００３７】
［１２］の発明にかかるスイッチ装置では、前項［１０］又は［１１］の記載の効果に加えて、スイッチ装置本体に設けられた電源オンオフ操作用ボタンが、前記単一の操作スイッチにより操作されるものとなされているので、非常に便利である。
【発明を実施するための最良の形態】
【００３８】
以下、この発明に係るスイッチ装置の実施形態を、図面を参照して具体的に説明する。
【００３９】
図１は、この実施形態のスイッチ装置（Ａ）の分解状態を示すもので、スイッチ装置本体（１）の前方にパネル取り付け用金具（１１）、該パネル取り付け用金具（１１）の前方に操作スイッチ（５０）を備えたパネル（３１）が表わされている。
【００４０】
この実施形態のスイッチ装置（Ａ）では、照明用光源の発光状態が、色温度と光量とから調節されるもので、発光状態変更用操作部が、色温度変更用操作部としての色温度変更操作用ボタン（６）（７）と、光量変更用操作部としての光量変更操作用ボタン（８）（９）との両方を備えると共に、該発光状態変更用操作部によって変更された発光状態を表示する発光状態表示部としての色温度デジタル表示部（３）と光量デジタル表示部（４）とを備えている。
【００４１】
スイッチ装置本体（１）は、その前面基板部（２）上部に色温度デジタル表示部（３）と光量デジタル表示部（４）が横並びに配置されている。各デジタル表示部（３）（４）は、それぞれ光源を有し（図示省略）、該光源は通電開始時の数秒間と、後述する色温度又は光量変更操作用ボタン（６）（７）（８）（９）の操作時とに発光し、操作完了後は発光が停止されるものと設定されている。
【００４２】
デジタル表示部（３）（４）の下方には、電源オンオフ操作部である電源オンオフ操作用ボタン（５）を中央に置いて、その左方に色温度変更操作部である色温度減少変更操作用ボタン（６）、右方に色温度増加変更操作用ボタン（７）が配置される一方、電源オンオフ操作用ボタン（５）の上方に光量変更操作部である光量増大変更操作用ボタン（８）、下方に光量減少変更操作用ボタン（９）が配置されている。
【００４３】
色温度表示部は、２７００〜６５００までが１００ごとにデジタル表示されるものと設定されており、その数値は、２７００〜６５００ケルビンに相当し、黒体放射軌跡上にある色温度を示すものである。
【００４４】
また、光量表示部は、０〜１００までが、１ごとにデジタル表示されるものと設定されており、その数値は、０ルーメン〜１０００ルーメンに相当する。
【００４５】
電源オンオフ操作用ボタン（５）と各変更操作用ボタン（６）（７）（８）（９）との間には、極小のＬＥＤ（１０）（１０）（１０）（１０）が配置されており、照明器具の通電時は常にこの通電状態表示用ＬＥＤ（１０）が発光するものと設定されている。
【００４６】
前面基板部（２）の四隅には、パネル取り付け用金具（２１）をネジ止めするために雌ねじ部を有するねじ孔（１２）が設けられている、また、前面基板部（２）の左右両側の枠部（１３）（１３）のそれぞれに、後述するパネル（３１）の係止用突起（４４）（４４）（４４）が嵌入係止される複数の係止用孔（１５）（１５）（１５）が上下方向に所定間隔を置いて配置されている。
【００４７】
さらに、前面基板部（２）の左右両側の枠部（１３）（１３）及び上下両側の枠部（１４）（１４）に、パネル取り付け用金具（２１）の位置決め用突起（１６）（１６）が突設されている。
【００４８】
パネル取り付け用金具（２１）は、図１に示すように、窓枠状に形成されており左右枠部（２２）（２２）の各々に、スイッチ装置本体（Ａ）の前記左枠部または右枠部（１３）の係止用孔（１５）に対応する係止用突起貫通孔（２３）（２３）（２３）が上下方向に並んで配置される一方、上下枠部（２４）（２４）の各々に壁面取付ねじ用長孔（２５）（２５）（２５）が、所定間隔を置いて横並びに配置されている。
【００４９】
また、開口部の四隅にねじ挿通孔（２６）（２６）（２６）（２６）が設けられており、該ねじ挿通孔（２６）に挿通された雄ねじ（２９）（２９）（２９）（２９）が前記基板部（２）のねじ孔（１２）の雌ねじ部に螺合することによりパネル取り付け用金具（２１）が、スイッチ装置本体（１）に取り付けられるものとなされている。
【００５０】
開口の各内縁には、前記スイッチ装置本体（１）の位置決め用突起（１６）に対応する複数個の位置決め用切欠（２７）（２７）（２７）が設けられている。
【００５１】
パネル（３１）は、光透過性を有する外パネル（３２）と、該外パネル（３２）に嵌合された光不透過性の内パネル（３３）とからなり、図３においては、操作スイッチ用真円形窓孔（３５）をわかりやすくするために、外パネル（３２）が一点鎖線で表されている。
【００５２】
外パネル（３２）は、図２に示すように、裏面周縁が低く立ち上げられた正方形のトレー状に形成されており、中央部よりやや下方に操作スイッチ用真円形窓孔（３５）が設けられると共に、該操作スイッチ用真円形窓孔（３５）の周縁に他の部位よりも肉厚の薄い段部（３６）が操作スイッチ用真円形窓孔（３５）と同心円状に設けられている。
【００５３】
外パネル（３２）は、アクリル樹脂から作製され、白色に塗装されているが、光透過性を有しており、後述の内パネル（３３）のデジタル表示用窓孔（３９）に対応する色温度表示部である色温度表示領域（３０）から、色温度デジタル表示部（３）と光量表示部（４）の発光が視認できるものとなされている。
【００５４】
内パネル（３３）は、前記外パネル（３２）との組合せ状態の下で、前記操作スイッチ用真円形窓孔（３５）を囲み、操作スイッチ用真円形窓孔（３５）より大なる操作スイッチ用方形窓孔（４０）が設けられると共に、該操作スイッチ用方形窓孔（４０）の上方にスイッチ装置本体（１）の色温度デジタル表示部（３）と光量デジタル表示部（４）とに対応する横長のデジタル表示用窓孔（３９）が設けられている。
【００５５】
前記操作スイッチ用方形窓孔（４０）の内縁の各辺には、後述するスイッチベース（５２）の位置決め用突起（４１）（４１）…が複数個突設されている。
【００５６】
また、該操作スイッチ用方形窓孔（４０）の左右両側の内パネル内面に、後述する操作スイッチ本体保持部材（５５）を固定するための複数個の固定用突起（４２）（４２）が突設されている。該固定用突起（４２）の先端は、段部を有し、該段部に後述する操作スイッチ本体保持部材（５５）の係止用突条（６２）が係止されるものとなされている。
【００５７】
さらに、操作スイッチ用方形窓孔（４０）の上下側の内パネル内面に、スイッチベース（５２）の上下動を防止する上下動防止用突条（４３）（４３）が突設されている。
【００５８】
また、内パネル内面の前記固定用突起（４２）（４２）の外側に、スイッチ装置本体基板部（２）の係止用孔（１５）に嵌入係止される係止用突起（４４）が複数個設けられている。該係止用突起（４４）の先端は、図２に示すように、段部を有し、該段部が前記係止用孔（４４）に係止されるものとなされている。
【００５９】
操作スイッチ（５０）は、図２に示すように、操作スイッチ本体（５１）と、操作スイッチ本体（５１）をパネル背面側から押さえこんで操作スイッチ用真円形窓孔（３５）に保持する操作スイッチ本体保持部材（５５）とを備えている。
【００６０】
操作スイッチ本体（５１）は、スイッチベース（５２）と、該スイッチベース（５２）に固定されたスイッチ枠（５３）と、該スイッチ枠（５３）に背面から嵌め込まれた中央円盤状体（５４）と、中央円盤状体（５４）に嵌め込まれたスイッチパッキン（５７）とから構成されている。
【００６１】
スイッチベース（５２）は、透明の合成樹脂から作製されており、その中央に後述する中央円盤状体嵌め込み用孔（５２ａ）が設けられる一方、周縁に、前記位置決め用突起（４１）（４１）間に嵌り込む４つの位置決め用突片（５２ｂ）（５２ｂ）（５２ｂ）（５２ｂ）が周方向に互いに等間隔をおいて延設されている。
【００６２】
また、後面の内縁には後述する中央円盤状体（５４）の突部（５４ａ）（５４ａ）が係止される凹部（５２ｃ）（５２ｃ）が設けられると共に、内縁近傍に、後述するスイッチ枠（５３）の係止用突起（５３ｂ）（５３ｂ）が嵌入する一対の係止用孔（５２ｄ）（５２ｄ）が、中央円盤状体嵌め込み用孔（５２ａ）の直径方向に対称的に設けられている。
【００６３】
このスイッチベース（５２）の前面は、図５に示すようにスイッチ枠（５３）が嵌り込む円環状立壁（５２ｅ）が突設されており、、該円環状立壁（５２ｅ）は、パネル（３１）への取付状態において、パネル（３１）の操作スイッチ用真円形窓孔（３５）から僅かに突出する高さを有している。
【００６４】
スイッチ枠（５３）は、パネルの操作スイッチ用真円形窓孔（３５）より僅かに径小のリング状に形成されており、前記係止用孔（５２ｄ）に嵌入する一対の係止用突起（５３ｂ）（５３ｂ）が直径方向の対称位置に突設されている。
【００６５】
中央の円形の窓孔（５３ａ）は、スイッチベース（５２）の中央円盤状体嵌め込み用孔（５２ａ）よりも径大に形成されており、図５に示すように、スイッチ枠（５３）がスイッチベース（５２）に固定された状態の下で、円形の窓孔（５３ａ）の内縁が、スイッチベース（５２）の中央円盤状体嵌め込み用孔（５２ａ）よりも僅かに内方に突出している。
【００６６】
この僅かに突出した部分（５３ｃ）に、後述する中央円盤状体（５４）の段部が当接し、中央円盤状体（５４）のパネル前方への抜脱が防止されている。
【００６７】
中央円盤状体（５４）は、スイッチベース（５２）の中央円盤状体嵌め込み用孔（５２ａ）を塞ぐと共に、スイッチ枠（５３）の窓孔（５３ａ）を塞ぐ大きさの円形に形成されているが、電源オンオフ操作時には、スイッチ枠（５３）から離れて単独で押し込まれるものと構成されている。
【００６８】
また、図２に示すように、周縁に前記スイッチベース（５２）の凹部（５２ｃ）（５２ｃ）に係止される一対の係止用突部（５４ａ）（５４ａ）が前記凹部（５２ｃ）（５２ｃ）との対応位置に突設される一方、後述するスイッチパッキン（５７）が嵌め込まれる円形凹部を有し、該円形凹部の底面には、縦一文字状透孔と欠円形透孔と、スイッチパッキン固定用突起（５４ｂ）（５４ｂ）が設けられている。
【００６９】
また、中央円盤状体（５４）の表面側の周縁には、段部が形成されており、該段部がスイッチ枠（５３）の突出部（５３ｃ）に当接することにより、中央円盤状体（５４）のパネル前方への抜脱が防止されている。
【００７０】
スイッチパッキン（５７）は、透明の合成樹脂から作製され、前記中央円盤状体（５４）の円形凹部（５４ｃ）の内径より僅かに小なる外径を有する円板状に形成されており、図４及び図５に示すように、前記縦一文字状透孔に嵌入する突条（５７ｄ）と、前記欠円形透孔に嵌入する欠円形突条（５７ｅ）とが設けられている。
【００７１】
操作スイッチ本体保持部材（５５）は、図２に示すように、略々正方形の輪郭形状を有する板状ベース部（６０）の中央に内パネル（３３）の操作スイッチ用方形窓孔（４０）と同大の窓孔（６６）が設けられている。
【００７２】
前記板状ベース部（６０）の一対の対向縁に沿って内パネル（３３）の操作スイッチ本体保持部材固定用突起（４２）に対応する係止用突条（６２）（６２）が立設されると共に、中央の窓孔（６６）の内縁に沿って窓孔（６６）を囲むように立壁（６３）が突設されている。
【００７３】
該立壁（６３）の内側には、組立時に前記位置決め用突起（４１）に重なる同様の位置決め用突起（６１）が複数個設けられると共に、対向位置にある一対の上縁隅部から中央に向かって傾斜する第１ばね片（６４）（６４）が設けられると共に、他の一対の上縁隅部から中央に向かって傾斜する第２ばね片（６５）（６５）が設けられている。該第２ばね片（６５）は、第１ばね片（６４）の長さよりも短く形成されている。
【００７４】
而して、操作スイッチ（５０）は、次のようにしてパネル（３１）に組み付けられている。
【００７５】
先ず、スイッチ枠（５３）が固定されたスイッチベース（５２）を、内パネル（３３）の背面から所定位置に嵌め込む。
すなわち、スイッチベース（５２）の４つの位置決め用突片（５２ｂ）の各々を内パネル
次に、予めスイッチパッキン（５７）が固定された中央円盤状体（５４）の一対の係止用突部（５４ａ）（５４ａ）をスイッチベース（５２）の係止用凹部（５２ｃ）（５２ｃ）に嵌め込む。
【００７６】
この嵌め込み状態において、中央円盤状体（５４）の周縁段部（５４ｆ）が、スイッチ枠（５３）の突出部（５３ｃ）に当接することにより、中央円盤状体（５４）のパネル前方への抜脱が防止される。
【００７７】
最後に、操作スイッチ本体保持部材（５５）を、その立壁（６３）が内側に突出する方向に向け、内パネル（３３）の操作スイッチ本体保持部材固定用突起（４２）（４２）と上下動防止用突条（４３）（４３）とに囲まれた領域に嵌め込むのである。
【００７８】
この固定状態においては、図５に示すように、第１ばね片（６４）の先端部が中央円盤状体（５４）の背面に当接し、第２ばね片（６５）の先端部がスイッチベース（５２）の背面に当接して、操作スイッチ本体（５１）をパネル前方に向けて付勢している。
【００７９】
このようにして操作スイッチ（５０）が固定されたパネル（３１）は、スイッチ装置本体（１）に対して、次のようにして取り付けられる。
【００８０】
まず、スイッチ装置本体（１）を予め室内の壁に設けられた凹部に埋め込み、取り付け金具（２１）を凹部周縁にねじ止めすることにより、スイッチ装置本体（１）が壁に取り付けられる。
【００８１】
次に、パネルの裏側すなわち内パネル（３３）に設けられた複数個の係止用突起（４４）を対応する取り付け金具（２１）の係止用突起貫通孔（２３）及びスイッチ装置本体（１）の係止用孔（１５）に挿通させると、係止用突起（４４）は、弾性変形しながら係止用孔（１５）の内縁を乗り越え、段部（４４ｂ）が係止用孔（４４）の内縁に係止されることにより、パネル（３１）がスイッチ装置本体（１）に固定される。
【００８２】
而して、パネル（３１）が固定されたスイッチ装置（Ａ）が、照明制御システムのマイコンに接続され、電源コード（図示省略）を介して給電されているものとして、このスイッチ装置（Ａ）の動作について説明する。                                                
【００８３】
図５（イ）に示すように、操作スイッチ（５０）の非押圧状態において、操作スイッチ（５０）は、電源オンオフ操作用ボタン（５）、色温度減少変更用ボタン（６）及び色温度増加変更用ボタン（７）のいずれにも接触していない。また、図示省略したが、操作用スイッチ（５０）は、光量増大変更用ボタン（８）及び光量減少変更用ボタン（９）のいずれにも接触していない。
【００８４】
この状態から、５（ロ）に示すように、中央円盤状体（５４）の中央を押圧すると、中央円盤状体（５４）が、スイッチ枠（５３）内の範囲でスイッチ装置本体（１）側に少し移動し、第１ばね片（６４）を僅かにスイッチ装置本体（１）側に押し下げ、スイッチパッキン（５７）が電源オンオフ操作用ボタン（５）に接触してこれを押圧する。
【００８５】
この電源オンオフ操作用ボタン（５）はいわゆる長押しにより、電源のオンオフ操作がなされるものと設定されているが、中央円盤状体（５４）の押圧を緩めると、中央円盤状体（５４）が、第１ばね片（６４）の弾性復元力によりパネル前方に押し返されるので、オンオフ操作は、その弾性復元力に抗して中央円盤状体（５４）をしばらく押し続けなければならない。
【００８６】
この長押しにより照明装置への通電が開始され、照明器具が点灯されると共に、パネルのデジタル表示領域（３０）に色温度デジタル表示及び光量デジタル表示がなされる。
【００８７】
白色に塗装された外パネル（３２）の色温度表示領域（３０）から視認できる色温度デジタル表示部（３）及び光量表示部（４）の発光は、独特の興趣性を醸しだしている。
【００８８】
また、同時にスイッチ装置本体（１）の通電状態表示用ＬＥＤ（１０）（１０）（１０）（１０）が点灯する。この通電の数秒経過後、スイッチ装置本体（１）の色温度デジタル表示部（３）及び光量デジタル表示部（４）の発光は停止されるものと設定されており、デジタル表示領域（３０）における色温度デジタル表示及び光量デジタル表示が消滅する。
【００８９】
しかし、複数個の通電状態表示用ＬＥＤ（１０）は発光を続け、中央円盤状体（５４）の縦一文字状透孔（５４ｄ）及び欠円形透孔（５４ｅ）に嵌りこんだ透明のスイッチパッキン（５７）及び透明のスイッチベース（５２）の周縁部を通して通電状態表示用ＬＥＤ（１０）の発光がパネル（３１）前方から視認されることになる。
【００９０】
そして、例えば、色温度を減少方向に調整するには、図５（ハ）に示すように、パネル（３１）から突出しているスイッチ枠（５３）の左側を強く押すと、スイッチ枠（５３）が僅かに左に傾き、スイッチベース（５２ｂ）がスイッチ装置本体（１）の色温度減少変更用ボタン（６）を押圧する。この押圧一回により色温度を１００度減少させることができる。
【００９１】
同様にして、スイッチ枠（５３）の右側を強く押すと、スイッチ枠（５３）が僅かに右に傾き、スイッチベース（５２ｂ）がスイッチ装置本体（１）の色温度増加変更用ボタン（７）を押圧する。この押圧一回により色温度を１００度増加させることができる。
【００９２】
色温度がデジタル表示により視認されるので、操作者の感覚に頼ることなく、所望の色温度の色を発光させることが可能となる。
【００９３】
光量の増加変更操作は、スイッチ枠（５３）の上部を押圧し、光量の減少変更操作は、スイッチ枠（５３）の下部を押圧することにより行われる。スイッチ枠（５３）の上下部の押圧による操作スイッチ（５０）の動作は、実質的に色温度の変更操作と同様であるので詳細な説明を省略する。
【００９４】
図６は、この発明にかかる他の実施形態のスイッチ装置（Ｂ）を示すもので、この実施形態のスイッチ装置（Ｂ）では、照明用光源の発光状態が、発光パターンと光量との両方から調節されるものとなされており、発光状態変更用操作部が、光量変更用操作部と発光パターン変更用操作部との両方を備えると共に、該発光状態変更用操作部によって変更された発光状態を表示する発光状態表示部としての光量デジタル表示部と発光パターン表示部とを備えている。
【００９５】
発光パターンとは、複数の異なる発光色に変化するものとなされた発光状態のことである。特定の発光色から他の特定の発光色へ急激に変化するものと、特定の発光色から他の特定の発光色への変化が緩やかに行われるものとの両方を含む。
【００９６】
照明装置又はこのスイッチ装置の記憶部に複数の発光パターンを実現するプログラムが記憶されており、各発光パターンは発光パターン表示部に数字で表示されるものとなさている。例えば、１〜４０の数字が表示され、数字を選択することにより、４０種類の発光パターンの中から一つの発光パターンが特定されるのである。
【００９７】
この実施形態のスイッチ装置（Ｂ）と先の実施形態のスイッチ装置（Ａ）との構造上の相違は、色温度変更用操作部（６）（７）と色温度表示部（３）とが、発光パターン変更用操作部と発光パターン表示部とに置き換えられたところにある。
【００９８】
従って、先の実施形態のスイッチ装置（Ａ）におけるスイッチ装置本体（１）上の、色温度変更用操作部としての色温度減少変更用ボタン（６）、色温度増加変更用ボタン（７）をそれぞれ、発光パターン順序番逆送りボタン、発光パターン順序順送りボタンと置き換えることによりこのスイッチ装置（Ｂ）の構造が理解される。
【００９９】
而して、パネル（１３２）中央に設けられた操作スイッチ（１５０）の中央部を長押しすることにより、電源のオンオフ操作がなされる。操作スイッチ（１５０）の上部を強く押圧すると、先の実施形態のスイッチ装置（Ａ）と同様に、光量増加変更用ボタンが押圧され、光量が増大し、操作スイッチ（１５０）の下部を強く押圧すると、光量減少変更用ボタンが押圧され、光量が減少する。
【０１００】
操作スイッチ（１５０）の右側を強く押圧すると、発光パターン順序順送りボタンが押圧され、表示される数字が順次大きくなって発光パターンの変更が行われ、操作スイッチ（１５０）の左側を強く押圧すると、発光パターン順序逆送りボタンが押圧され、表示される数字が順次小さくなって発光パターンの変更が行われる。
【０１０１】
なお、上記いずれの実施形態においても、操作スイッチ本体（５１）が円盤状に形成されているが、パネルの窓孔を矩形とし、操作スイッチ本体がこの矩形の窓孔を覆うものとしても良い。
【０１０２】
また、ばね片（６４）（６５）が操作スイッチ本体保持部材（５５）と一体成形されているが、操作スイッチ本体保持部材（５５）とは別体であっても構わない。また、操作スイッチ（５０）をパネル前方に付勢する部材は、実施形態のようなばね片（６４）（６５）に限定されることなく、例えば、コイルスプリングが用いられることもある。
【図面の簡単な説明】
【０１０３】
【図１】この発明に係るスイッチ装置の一実施形態の分解斜視図である。
【図２】同パネル及び操作スイッチの分解状態の斜視図である。
【図３】同パネルに操作スイッチを取り付けた状態の背面図である。
【図４】同パネルに操作スイッチを取り付けた状態の正面図である。
【図５】（イ）は、図４Ｘ−Ｘ線断面図、（ロ）は、操作スイッチを押圧して電源オンオフ操作用ボタンを操作している状態の同断面図、（ハ）は、操作スイッチを押圧して色温度減少変更操作用ボタンを操作している状態の同断面図である。
【図６】この発明に係るスイッチ装置の他の実施形態の正面図である。
【符号の説明】
【０１０４】
Ａ・・・・・・・スイッチ装置
１・・・・・・・スイッチ装置本体
３・・・・・・・色温度デジタル表示部
４・・・・・・・光量表示部
５・・・・・・・電源オンオフ操作用ボタン
６・・・・・・・色温度減少変更操作用ボタン
７・・・・・・・色温度増加変更操作用ボタン
８・・・・・・・光量増加変更操作用ボタン
９・・・・・・・光量減少変更操作用ボタン
３０・・・・・・デジタル表示領域
３１・・・・・・パネル
３２・・・・・・外パネル
３３・・・・・・内パネル
３９・・・・・・デジタル表示用窓孔
５０・・・・・・操作スイッチ
５１・・・・・・操作スイッチ本体
５５・・・・・・操作スイッチ本体保持部材
【図１】
0005133763.tif 000002
【図２】
0005133763.tif 000003
【図３】
0005133763.tif 000004
【図４】
0005133763.tif 000005
【図５】
0005133763.tif 000006
【図６】
0005133763.tif 000007